(57)【要約】      （修正有）【課題】ランドセルカバーにスナップボタンで取り換え可能な輪状補助ゴムを係止することにより、多種多様な大きさのランドセルに装着可能なランドセル用のカバーを提供する。【解決手段】ランドセルカバー２０は、開口部３を有するランドセル本体２の上端部に接続された開口部を開閉するための被せ蓋７に取り付けられ、その一部を構成するランドセルカバー本体３０により被せ蓋の外面Ｓ３を被覆する。ランドセルカバー２０には、ランドセル本体の掛け金具８に引っ掛けることが可能でスナップボタン４１ａ、４１ｂにより取り換え可能な輪状補助ゴム４０が係止されている。輪状補助ゴムの長さを変更することにより多種多様な大きさのランドセル１に装着することが可能である。【選択図】図２
0003208150.tif 000002
【実用新案登録請求の範囲】
【請求項１】
開口部を有するランドセル本体の当該開口部を開閉するための被せ蓋に取り付けられ、その一部を構成するランドセルカバー本体により被せ蓋の外面を被覆するランドセルカバーであって、スナップボタンで取り換え可能な輪状補助ゴムが係止されていることを特徴とするランドセルカバー。
【考案の詳細な説明】
【技術分野】
【０００１】  本考案は、近年大きさが多様化したランドセルに装着を可能とするためのランドセルカバーに関するものである。
【背景技術】
【０００２】  従来、ランドセルカバーにあっては、（特許文献１）に示されているように、ランドセルの掛け金具に掛け止めるゴム紐でランドセルカバー上部をランドセルの蓋に装着することによりズリ下がってしまうことを防止しております。
特許文献２）及び（特許文献３）にも同様の装着方法が示されております。しかしながらこの方法ではゴム紐が伸びる範囲の大きさのランドセルにしか対応することができません。そこで多種多様なランドセルの大きさに対応するためには（非特許文献１）に示されているように、ランドセルカバー自体の寸法を数種類作成し対応しておりました。
【先行技術文献】
【特許文献】
【０００３】
【特許文献１】実用新案登録第３１６４２３８号公報
【特許文献２】実用新案登録第３１６１６９３号公報
【特許文献３】実用新案登録第３１６０９７０号公報
【非特許文献】
【０００４】
【非特許文献１】株式会社マルヨシ、”まもるちゃん”、［ｏｎｌｉｎｅ］、平成２８年０９月０６日検索、インターネット＜ＵＲＬ：ｈｔｔｐ：／／ｍａｍｏｒｕｃｈａｎ．ｊｐ／ｐｒｏｄｕｃｔｓ／ｔｒａｎｓ‐ｃｏｖｅｒｓ／＞
【考案の概要】
【考案が解決しようとする課題】
【０００５】  ところで、上記のようなランドセルカバーの様式等は、購入時に使用者が自身のランドセルの正確な寸法を把握しておく必要があり、どの寸法のランドセルカバーが適合するのかわかりにくいという問題がある。【０００６】  本考案は、上記のような課題を解消するランドセルカバーを提供することを目的としており、具体的には、ランドセル本体の掛け金具に引っ掛けることが可能でありスナップボタンで取り換え可能である輪状補助ゴムが係止されており、輪状補助ゴムの長さを数種類提供することにより多種多様な大きさのランドセルに装着することが可能なランドセルカバーを提供することを目的とする。
【課題を解決するための手段】
【０００７】  本考案は、かかる目的を達成するために、次のような手段を講じたものである。【０００８】  すなわち、本考案のランドセルカバーは、開口部を有するランドセル本体の当該開口部を開閉するための被せ蓋に取り付けられ、その一部を構成するランドセルカバー本体により被せ蓋の外面を被覆するランドセルカバーであって、スナップボタンで取り換え可能な輪状補助ゴムが係止されていることを特徴とする。【０００９】  このように構成すると、ランドセルカバー本体の寸法は一種類であっても、装着するランドセルに対応する長さの輪状補助ゴムを使用することにより、大きさの違う多種多様なランドセルに装着する事ができる。
【考案の効果】
【００１０】  本考案は、以上説明した構成であるから、輪状補助ゴムを取り換えることにより多種多様の寸法のランドセルに対応することができる。そして使用者がランドセルカバー購入時に、自身のランドセルの寸法を考慮する事が必要でないランドセルカバーを提供することができる。
【図面の簡単な説明】
【００１１】
【図１】本考案に係るランドセルカバーを取り付けたランドセルの斜視図。
【図２】同ランドセルカバーを、ランドセルから取り外した状態で示す斜視図。
【図３】同ランドセルカバーの正面図。
【図４】同ランドセルカバーの背面図。
【図５】ランドセルへ同ランドセルカバーの取り付け方を説明するための斜視図
【図６】同ランドセルカバーと輪状補助ゴムを示す正面図。
【考案を実施するための形態】
【００１２】＜実施形態＞
以下、本考案のランドセルカバー２０を、図面を参照して説明する。
【００１３】  図１に示すように、本実施形態のランドセルカバー２０は、ランドセル１の被せ蓋７に取り付けている。
【００１４】  ランドセル１は、図１，２に示すように、上方に開口した開口部３を有するランドセル本体２、ランドセル本体２の開口部３を開閉可能にする被せ蓋７、及びランドセル１を背負ったときに使用者の背中が接するランドセル本体２の背板部２ａと開口部３の反対側に位置する底面部２ｄとに接続された一対の肩ベルト１０，１０を備えるものである。
【００１５】  図２に示すように、前記ランドセルカバー２０は、被せ蓋７の外面Ｓ３を被覆するシート状のもので、ランドセル１の被せ蓋７に対応する形状であって被せ蓋７の幅寸法よりも若干幅広の寸法を有し、長手方向の長さが被せ蓋７よりも若干長い矩形状のランドセルカバー本体３０と、ランドセルカバー本体３０の一端３０ａから延び、肩ベルト１０，１０の上端と係合可能な連結固定部７０とを備える。また、ランドセルカバー本体３０の一端３０ａの中央にはスナップボタン４１ｂが取り付けられ、前記掛け金具８に引っ掛けることが可能で、その一端にスナップボタン４１ａを取り付けられた輪状補助ゴム４０が係止されている。
【００１６】  図３，４に示すように、ランドセルカバー本体３０は、ランドセルカバー２０を取り付けた際に被せ蓋７と当接する面である一方の面（ランドセルカバー２０の内面）Ｓ２の他端３０ｂに、被せ蓋７の自由端７ｂを挿入するための裏下ベルト５０を備える。裏下ベルト５０は、ランドセルカバー本体３０の幅寸法と略対応する幅寸法を有し、ランドセルカバー本体３０をその他端３０ｂ先端から長手方向に向かってランドセルカバー本体３０の３分の１程度の位置まで覆っている。裏下ベルト５０の一端５０ａは、その幅方向略全体に亘って開放されており、裏下ベルト５０の両端及び他端５０ｂの縁部は、ランドセルカバー本体３０に固定されている。裏下ベルト５０の中央よりも他端５０ｂ寄りの位置には、被せ蓋７の自由端７ｂに固定された連結部６（図５参照）を挿通可能な連結部挿通孔５１が形成されており、連結部挿通孔５１は、連結部６の最も幅広な部分の寸法よりも若干広く幅方向に伸びて矩形状に開口している。連結部挿通孔５１は、裏下ベルト５０の他端５０ｂ側の先端縁と、連結部挿通孔５１の他端５０ｂ側の縁部５１ａとの間に所定の間隔を有するように形成されており、この部分に被せ蓋７の自由端７ｂが挿入される。ランドセルカバー本体３０はまた、一方の面Ｓ２の一端３０ａ側に、ランドセルカバー本体３０の幅寸法と略対応する幅寸法を有し、両端部がランドセルカバー本体３０に固定された裏上ベルト６０を有する。
【００１７】  図３，４に示すように、連結固定部７０は、ランドセルカバー本体３０の一端３０ａの両端からそれぞれ延びる第１連結片７１及び第２連結片７２からなる。第１連結片７１は、ランドセルカバー本体３０の一端３０ａから延びる湾曲部７１ａと湾曲部７１ａから第２連結片７２に向かってランドセルカバー本体３０の一端３０ａと平行に延びる平行部７１ｂとからなり、平行部７１ｂには先端にスナップボタン７３ａが取り付けられている。第２連結片７２は、ランドセルカバー本体３０の一端３０ａから延びる湾曲部７２ａと湾曲部７２ａから第１連結片７１に向かってランドセルカバー本体３０の一端３０ａと平行に延びる平行部７２ｂとからなり、平行部７２ｂの先端にはスナップボタン７３ｂが取り付けられている。スナップボタン７３ａ，７３ｂは、連結固定部７０の幅方向の略中央で互いに係止され、係止されることで、ランドセルカバー本体３０の一端３０ａの縁部２０ａと当該縁部２０ａに連続する、第１連結片７１及び第２連結片７２の内周縁７１ｘ，７２ｘによって肩ベルト係止孔７４が形成される。
【００１８】  以上のように構成されるランドセルカバー２０をランドセル１の被せ蓋７に取り付ける。ランドセルカバー２０の被せ蓋７への具体的な取り付け方法としては、図５に示すように、被せ蓋７を連結部６の先端部材５から順に一端３０ａから他端３０ｂに向かって裏上ベルト６０の内側を通過させ、続いて裏下ベルト５０の一端５０ａから挿入した先端部材５及び連結部６を連結部挿通孔５１から外方へ通過させて、被せ蓋７の自由端７ｂ側を裏下ベルト５０内に差し込む。その後、ランドセルカバー２０における連結固定部７０の第１連結片７１及び第２連結片７２を外側に広げ、それらの連結片７１，７２を肩ベルト１０，１０の上端に回り込ませてからスナップボタン７３ａ，７３ｂで固定し、輪状補助ゴム４０を前記留め金具８に引っ掛けることで、被せ蓋７にランドセルカバー２０を取り付けることができる。
【００１９】  以上のように、本実施形態のランドセルカバー２０は、開口部３を有するランドセル本体２の当該開口部３を開閉するための被せ蓋７に取り付けられ、その一部を構成するランドセルカバー本体３０により被せ蓋７の外面Ｓ３を被覆するものである。
【００２０】  このような構成であるので、汚れ、傷や雨水からランドセル１を保護する機能を有するとともに、ランドセルカバー２０で被せ蓋７を覆うことで、ランドセル１の外観を容易に変更することができ、独自性を備えたランドセル１にすることができる。また寸法の異なる輪状補助ゴム４０を使用することにより多種多様な大きさのランドセル１に対応することができる。
【００２１】  このようなランドセルカバー２０は、ランドセルカバーの新たな販売促進のサービスとして展開することができるものである。
【００２２】  さらに、表面シート３０が塩化ビニル製なので、防水効果が高く且つ汚れ等を容易に拭き取ることが可能なランドセルカバー２０とすることができる。
【００２３】  なお、各部の具体的な構成は、上述した実施形態のみに限定されるものではなく、本考案の趣旨を逸脱しない範囲で種々変形が可能である。
【００２４】  例えば、ランドセルカバー２０の一端の３０ｂは直線に限定されず図６に示すランドセル本体２の被せ蓋７の自由端７ｂの形状に合わせたものであってもよい。
【符号の説明】
【００２５】  ２・・・ランドセル本体
３・・・開口部
７・・・被せ蓋
２０・・・ランドセルカバー
３０・・・ランドセルカバー本体
Ｓ３・・・外面
４０・・・輪状補助ゴム
【図１】
0003208150.tif 000003
【図２】
0003208150.tif 000004
【図３】
0003208150.tif 000005
【図４】
0003208150.tif 000006
【図５】
0003208150.tif 000007
【図６】
0003208150.tif 000008